(57)【要約】【目的】  ドライバーなどの工具類を必要とすることなく、電線を簡単に手際よく挟持固定できる電線支持物を提供する。【構成】  電線を挟持固定させる構造の電線支持物であって、電線支持物本体が下部支持部と上部支持部とクランプ部とから構成され、電線支持物本体の下部支持部と上部支持部との向き合う一端が蝶番機能を構成する連結部で形成され、残りの向き合う一端が爪付きの嵌め込みクランプ部で係合され、該クランプ部のスライド操作でロック機構を構成し、もって該上・下支持物を開閉して電線を簡単に手際よく挟持固定することのできる電線支持物にある。【選択図】図１
2010129534.tif 000002
【特許請求の範囲】
【請求項１】
電線を狭持固定する構造の電線支持物であって、電線支持物本体が下部支持部と上部支持部とクランプ部とから構成され、下部支持部と上部支持部の向き合う一端が蝶番機能を構成する連結部で形成され、残りの向き合う一端が爪付きの嵌め込みクランプ部の介在でもって係合部が形成され、該クランプ部のスライド操作でロック機構を構成し、もって該上・下支持部が開閉されて電線を狭持固定することのできる電線支持物。
【請求項２】
下部支持部と上部支持部が互いに向き合う相方で、電線を挟持するための窪みを形成し、連結部で接当するリング面に開閉角度を停止保持する嵌まり係合しあう突起を形成し、閉じた際に接当する接合面に嵌合しあう一対の凹凸部を形成し、さらに外周にクランプ部に即したクランプ溝を形成される該上・下支持部からなる請求項１記載の電線支持物。
【請求項３】
クランプ部が、指掛け部と一体的に造形される円筒片で形成し、且つその円筒片の両端が内向きに折り曲げた係合爪で形成されるクランプ部からなる請求項１記載の電線支持物。
【発明の詳細な説明】
【産業上の利用分野】
【０００１】  本発明は、電線を挟持固定する構造の電線支持物に関する。本発明は、特に高圧電流が流れる電線を挟持固定するものであって、電線支持物本体が下部支持部と上部支持部とクランプ部とで構成され、該下部支持部と上部支持部との向き合う一端が連結部で連結され、残る他の一端がクランプ部の介在でもって係合部を形成し、該上・下支持部が連結部を支軸に開閉できるように形成される電線支持物の構造に関する。
【背景技術】
【０００２】  従来、電流が流れる電線支持物は図５に示すようなものが一般的であった。即ち、電線の固定はスペーサを支持する下部支持部材と上部支持部材とからなり、該支持部材の係合用突起部にボルトを挿入・貫通させてナットで締付けて電線を固定する構造のものが採用されてきた。（例えば、特許文献１参照）。スペーサにおいても色々な形状のスペーサが工夫され採用されてきた。（例えば、特許文献２参照）。ロック機構においては、上・下の支持部材（クリート）を環状のバネ巻回で把持する方法。（例えば、特許文献３参照）。また、片部を変形させつつ係合爪を挿入させて、係合することを特徴としたクランプ装置。（例えば、特許文献４参照）。さらには、突起を穴に挿入して突起の鉤部を穴の外側縁に係止させてなる可撓管サドル方法などが提案されていた。（例えば、特許文献５参照）。そしてこれら３〜５の特許文献等は使用する材料のスプリングや可撓性を利用したロック機構を有するケーブル・電線支持物が記載されている。
【特許文献１】特開平９−２３５４５号  公報
【特許文献２】特開平７−２７４３５６号  公報
【特許文献３】特開平７−１３５７２９号  公報
【特許文献４】実開昭６３−１９６８０７号  公報
【特許文献５】実開昭６１−１５７７８２号  公報
【発明の開示】
【発明が解決しようとする課題】
【０００３】  従来、特に高圧電流が流れる電線を固定する支持物において、係合部を開閉するに際し、ドライバーやスッパナなど何らかの工具類が必要であった。確かに工具類を使用しての係合は強力な挟持が得られるが、それに要する作業工程は煩雑で、ボルト、ナット、ワッシャー、シャーシなどの部品点数が多いため作業効率を著しく低下させていた。特に配電ボックス内など手狭な場所での作業は煩雑極まりない状況にあった。一方、工具類を使用しないで作業効率を高める方法として、先に述べた特許文献のような可撓性ロック機構を採用する方法が提案されている。確かにプラスチックなどの材質の撓み性能を生かした係合手段は固定作業が楽である。しかし、この種の構造は衝撃に対し係合力が極めて弱く、特に本発明のような高圧電流が流れる電線支持物としては強度が不足で不適であった。
【課題を解決するための手段】
【０００４】  本発明者等は、上記、従来の電線支持物の問題点に鑑み、高圧電流が流れる電線を挟持固定するにおいて、ドライバーやスッパナなどの工具類を必要とすることなく、電線を手際よく確実に狭持固定できる耐衝撃性に優れた強靭な構造の電線支持物を提供するところにある。【０００５】  即ち、本発明は、電線を挟持固定する電線支持物の本体が下部支持部と上部支持部とクランプ部とで構成される。そして下部支持部と上部支持部の向き合う一端が蝶番機能を構成する連結部で連結され、残りの向き合う一端が爪付きの嵌め込みクランプ部の介在で係合部が形成されてなる。【０００６】  本発明の電線支持物は、電線を挟持するに際しドライバーなどの工具類をまったく必要とすることなく、指の力でクランプ部をスライド移動するだけで係合部におけるロック機能の開閉が簡単に行え、しかも電線を手際よく確実に挟持固定させることに到達した。【０００７】  本発明の電線支持物は、下部支持部と上部支持部の腹面に、互いに相方で電線を挟持するための窪みを形成し、連結部で接当するリング面に任意の開閉角度で停止保持させるために嵌合しあう突起物を形成してなる。また該上・下支持部を閉じた際に接当する接合面に嵌合しあう一対の凹凸物と、さらに該上・下支持部の外周にクランプ部の形状に即したクランプ溝を形成する該上・下支持部からなる。【０００８】  一方、クランプ部は、指掛け部と一体的に造形される円筒片で形成され、且つその円筒片の両辺が内向きに折り曲げた係合爪で形成されてなる。
【発明の実施するための形態】
【０００９】  以下、本発明の実施の形態について図面を参照しながら電線支持物を説明する。
【００１０】  図１において、符合Ａは電線支持物本体であり、ポリプロピレン樹脂、ＡＢＳ樹脂などの合成樹脂材などで加工された下部支持部１と上部支持部２とクランプ部４とで構成される。そして符号Ｂは電線支持物本体Ａを被物体に装着するため、下部支持部１に取付けられた脚である。
そして電線支持物本体Ａの下部支持部１と上部支持部２は、該支持部の腹面に互いに相方で電線を挟持するための半月状の任意の窪みを形成し、その向き合う一端が蝶番の機能を構成する連結部３で形成される。連結部３の蝶番は、凸条部とこれに係合する蟻溝との組み合わせや、差し込み式のシャフトとこれに係合するリング筒との組み合わせなどの構造を形成する。連結部３は、ここを支軸にして向き合う下部支持部１と上部支持部２に回動自在な開閉の機能を構成するものであれば如何なる機構のものでもよく特に制約されない。ただし、下部支持部１と上部支持部２の開き角度は電線取り付けの作業性から少なくても９０度を超えた１６０度程度までが任意に開放され、且つその数段階の開閉角度で停止保持される機構を形成することが好ましい。例えば、図２に示すように、該上・下支持部１、２が連結部３として接当するリング筒５のリング面５’に突起６とそれに係合する機構を形成される。
【００１１】  さらには、該上・下支持部１，２が連結部３を支軸にして閉じた際に接当する両支持部の接合面７に、相方で嵌合しあう一対の凹凸部７’が設けられてなる。該支持部を閉じた際にこの凹凸部７’が勘合を形成されることにより、外的衝撃による下部支持部１と上部支持部２のずれや捻じれが防止される。さらには、両支持部の接合面７の外周に、クランプ部４の形状にそったクランプ溝８を形成してなる。
【００１２】  クランプ部４は、図３に示すように下部支持部１と上部支持部２の外周のクランプ溝８に勘合するように指掛け部９を一体的に造形される円筒片１０で形成され、更にその円筒片１０の両辺は内向きに折り曲げた係合爪部１１が形成されてなる。そして且つクランプ溝８に接する任意の端面に脱落防止の突起１２、１２’が形成されてなる。
【００１３】  クランプ部４の取り付けにおいては、クランプ部４の円筒片１０をクランプ溝８に添ってスライド挿入する。その際、上記脱落防止の突起１２をクランプ溝８に被勘させるいわゆるスナップイン機構を構成することにより、クランプ部４を一旦挿入すれば、クランプ部４を該溝内でスライド移動させても、クランプ部４がクランプ溝８から容易に脱落しない機構に形成されてなる。また、クランプ部４がクランプ溝８内でスライド移動し過ぎても突起１２’で脱落が防止される。
【００１４】  このクランプ部４の片端停止の位置に対応して、図４に示すように、該上・下部支持部の係合する接合面７の片端に切欠部１３を刻設して、この切欠部１３の幅が狭い部分Ｗ’で、スライド溝８の片端に停止するクランプ部４の円筒片１０の幅が広い部分Ｗを避けて該上・下部支持部の開閉を可能にする導入部としている。そして支持部を閉じて片端に停止しているクランプ部４を、該上・下部支持部のクランプ溝８にそって、スライド挿入させることにより、円筒片１０とスライド溝８とが一体となって係合部を形成する。併せて円筒片１０の両辺を内向きに折り曲げた係合爪１１が作用して係合部におけるロック機構が完全に構成される。即ち、該係合部の開閉でもって電線支持物本体Ａが自在に開閉される。
【００１５】  また、本発明の電線支持物本体Ａには必要に応じアダプターを介在させて電線を狭持固定されるように工夫することも好ましい。アダプターは断面積の異なる、所謂太さの違う電線を挟持固定する場合のスペーサとして極めて有効である。アダプターは通常の円筒状のものや半円筒状のものを組み合わせて用いるなど如何なる構成のものを選択してもよく特に制約はない。しかし、電線支持物本体Ａを開いた時にアダプターが落下しないように支持部の一部に勘合溝を設けるなどの工夫しておくことが好ましい。
【発明の効果】
【００１６】  以上のように本発明の電線支持物は、電線支持物本体が下部支持部と上部支持部とクランプ部とで構成され、下部支持部と上部支持部の向き合う一端が蝶番の機能を構成する連結部で形成され、残りの向き合う一端がクランプ部の介在で構成する係合部で形成され、もって電線支持物本体が一体として構成されている。従って、電線を下部支持部と上部支持部とで狭持させた後は、指の力でクランプ部の円筒片を支持部のスライド溝に挿入して係合部を構成することで足りる。このクランプ部のスライド操作で、下部支持部と上部支持部を一体に合体あるいは開放させるだけで、電線支持物本体が自在に開閉することができ、電線を簡単に狭持固定や離脱させることができる。
【００１７】  故に、本発明は従来のようなボルト・ナットを使用する電線支持物と異なり、ドライバーやスッパナなどの工具類は不要となる。従って、工程も従来のような煩雑な作業から開放される。特に手狭な場所での作業性は比較にならないほど向上する。それに、本発明は特に高圧電流が流れる電線を狭持固定するに必要な強靭な構造の電線支持物が提供できる。
【図面の簡単な説明】
【００１８】
【図１】本発明に係る電線支持物の１実施例の外観斜視図である。
【図２】本発明に係る電線支持物の組立説明図である。
【図３】本発明に係る電線支持物のクランプ部の説明図である。
【図４】本発明に係る電線支持物で支持部が開放された説明図である。
【図５】従来の電線支持物の外観説明図である。
【符号の説明】
【００１９】    Ａ・・・電線支持物本体
Ｂ・・・脚
１・・・下部支持部
２・・・上部支持部
３・・・連結部
４・・・クランプ部
５・・・リング筒
５’・・・リング面
６・・・突起物
７・・・接合面
７’・・・凹凸部
８・・・クランプ溝
９・・・指掛け部
１０・・・円筒片
１１・・・係合爪
１２・・・突起
１２’・・・突起
１３・・・切欠部
【図１】
2010129534.tif 000003
【図２】
2010129534.tif 000004
【図３】
2010129534.tif 000005
【図４】
2010129534.tif 000006
【図５】
2010129534.tif 000007